(57)【特許請求の範囲】
【請求項１】
通信回線を介して接続される第１、第２の装置からなる出土文字資料解読システムであって、
第１の装置が、文字画像を選択する第１の選択手段と、当該第１の選択手段で選択された文字画像を上記第２の装置へ送信する第１の送信手段と、上記第２の装置における後記文字認識検索手段が認識及び検索した複数の検索結果画像を受信する第１の受信手段と、当該受信した複数の検索結果画像の中から該当画像を選択する第２の選択手段と、当該第２の選択手段で選択した結果を上記第２の装置へ送信する第２の送信手段とを具備し、
第２の装置が、上記第１の送信手段で送信された文字画像を受信する第２の受信手段と、当該受信した文字画像を認識し、複数の類似文字画像を後記データ保存手段から検索する文字認識検索手段と、検索結果を第１の装置に送信する第３の送信手段と、上記第２の送信手段で送信された選択結果を受信する第３の受信手段と、予め各種文字画像が保存されると共に、上記第２の送信手段で送信された結果と上記第１の選択手段で選択された文字画像とを関連付け新たな文字画像として保存するデータ保存手段とから成る、
ことを特徴とする出土文字資料解読システム。  
【請求項２】
第１の受信手段が、後記文字認識検索手段が検索した複数の検索結果画像及び選択回数を受信すると共に、
文字認識検索手段が、受信した文字画像を認識し複数の類似文字画像をデータ保存手段から検索すると共に、検索した複数の類似文字画像の組合せと同一の組合を提示した際に第２の選択手段で過去に選択された各々の類似文字画像の選択回数を提示する機能を有し、データ保存手段が各種文字画像を保存すると共に、第２の送信手段で送信された結果と第１の選択手段で選択された文字画像とを関連付け新たな文字画像データとして保存し、更に第２の選択手段で選択された類似文字画像の組合せと選択結果とを保存することを特徴とする請求項１に記載の出土文字解読システム。
【請求項３】
通信回線を介して接続される第１、第２の装置からなる出土文字資料解読装置であって、
第１の装置が、文字画像を選択する第１の選択手段と、当該第１の選択手段で選択された文字画像を上記第２の装置へ送信する第１の送信手段と、上記第２の装置における後記文字認識検索手段が認識及び検索した複数の検索結果画像を受信する第１の受信手段と、当該受信した複数の検索結果画像の中から該当画像を選択する第２の選択手段と、当該第２の選択手段で選択した結果を上記第２の装置へ送信する第２の送信手段とを具備し、
第２の装置が、上記第１の送信手段で送信された文字画像を受信する第２の受信手段と、当該受信した文字画像を認識し、複数の類似文字画像を後記データ保存手段から検索する文字認識検索手段と、検索結果を第１の装置に送信する第３の送信手段と、上記第２の送信手段で送信された選択結果を受信する第３の受信手段と、予め各種文字画像が保存されると共に、上記第２の送信手段で送信された結果と上記第１の選択手段で選択された文字画像とを関連付け新たな文字画像として保存するデータ保存手段とから成る、
ことを特徴とする出土文字資料解読装置。  
【請求項４】
第１の受信手段が、後記文字認識検索手段が検索した複数の検索結果画像及び選択回数を受信すると共に、
文字認識検索手段が、受信した文字画像を認識し複数の類似文字画像をデータ保存手段から検索すると共に、検索した複数の類似文字画像の組合せと同一の組合を提示した際に第２の選択手段で過去に選択された各々の類似文字画像の選択回数を提示する機能を有し、データ保存手段が各種文字画像を保存すると共に、第２の送信手段で送信された結果と第１の選択手段で選択された文字画像とを関連付け新たな文字画像データとして保存し、更に第２の選択手段で選択された類似文字画像の組合せと選択結果とを保存することを特徴とする請求項３に記載の出土文字解読装置。
【発明の詳細な説明】
【技術分野】
【０００１】
本発明は木簡や墨書土器などの発掘調査等で出土した文字資料を解読するためのシステムに関し、より詳しくはインターネット上に公開された文字資料のデータベースを利用者が利用することで、更に解読の精度を高めていくことが可能な解読システムに関する。
【背景技術】
【０００２】
木簡など出土文字資料の歴史資料としての重要性が認識されるようになって久しい。ことに、木片に文字が記載された木簡は出土件数が非常に多く、古代史の解明のためにその解読が重要となる。
【０００３】
かかる木簡に書かれた文字を解読するためのシステムとして、特許文献１には欠損を伴った手書き文字を解読する文字認識システムが開示されている。
【先行技術文献】
【特許文献】
【０００４】
【特許文献１】特開２０１０−２１１３４６号公報
【発明の概要】
【発明が解決しようとする課題】
【０００５】
木簡などの古代文字資料の解読には困難なものが多い、これまで読めたかった文字の場合、既存の文字画像データベースではテキスト入力でしか検索できないため、ある程度の見当のつくものしか検索できなかった。
【０００６】
そこで本発明は、画像データとして字形で検索することを可能とすると共に、文字資料のデータベースを利用者が利用することで、更に解読の精度を高めていくことが可能な出土文字資料解読システムを提供することを目的とする。
【課題を解決するための手段】
【０００７】
上記の目的を達成する本考案の構成は以下の通りである。
【０００８】
（１) 請求項１に記載の発明は、通信回線を介して接続される第１、第２の装置からなる出土文字資料解読システムであって、第１の装置が、文字画像を選択する第１の選択手段と、当該第１の選択手段で選択された文字画像を上記第２の装置へ送信する第１の送信手段と、上記第２の装置における後記文字認識検索手段が認識及び検索した複数の検索結果画像を受信する第１の受信手段と、当該受信した複数の検索結果画像の中から該当画像を選択する第２の選択手段と、当該第２の選択手段で選択した結果を上記第２の装置へ送信する第２の送信手段とを具備し、第２の装置が、上記第１の送信手段で送信された文字画像を受信する第２の受信手段と、当該受信した文字画像を認識し、複数の類似文字画像を後記データ保存手段から検索する文字認識検索手段と、検索結果を第１の装置に送信する第３の送信手段と、上記第２の送信手段で送信された選択結果を受信する第３の受信手段と、予め各種文字画像が保存されると共に、上記第２の送信手段で送信された結果と上記第１の選択手段で選択された文字画像とを関連付け新たな文字画像として保存するデータ保存手段とから構成される。
【０００９】
（２) 請求項２に記載の発明は、請求項１に記載の出土文字解読システムにおいて、第１の受信手段が、後記文字認識検索手段が検索した複数の検索結果画像及び選択回数を受信すると共に、文字認識検索手段が、受信した文字画像を認識し複数の類似文字画像をデータ保存手段から検索すると共に、検索した複数の類似文字画像の組合せと同一の組合を提示した際に第２の選択手段で過去に選択された各々の類似文字画像の選択回数を提示する機能を有し、データ保存手段が各種文字画像を保存すると共に、第２の送信手段で送信された結果と第１の選択手段で選択された文字画像とを関連付け新たな文字画像データとして保存し、更に第２の選択手段で選択された類似文字画像の組合せと選択結果とを保存する機能を具備して構成される。
【００１０】
（３) 請求項３に記載の発明は、通信回線を介して接続される第１、第２の装置からなる出土文字資料解読装置であって、第１の装置が、文字画像を選択する第１の選択手段と、当該第１の選択手段で選択された文字画像を上記第２の装置へ送信する第１の送信手段と、上記第２の装置における後記文字認識検索手段が認識及び検索した複数の検索結果画像を受信する第１の受信手段と、当該受信した複数の検索結果画像の中から該当画像を選択する第２の選択手段と、当該第２の選択手段で選択した結果を上記第２の装置へ送信する第２の送信手段とを具備し、第２の装置が、上記第１の送信手段で送信された文字画像を受信する第２の受信手段と、当該受信した文字画像を認識し、複数の類似文字画像を後記データ保存手段から検索する文字認識検索手段と、検索結果を第１の装置に送信する第３の送信手段と、上記第２の送信手段で送信された選択結果を受信する第３の受信手段と、予め各種文字画像が保存されると共に、上記第２の送信手段で送信された結果と上記第１の選択手段で選択された文字画像とを関連付け新たな文字画像として保存するデータ保存手段とから構成される。
【００１１】
（４) 請求項４に記載の発明は、請求項３に記載の出土文字解読装置において、第１の受信手段が、後記文字認識検索手段が検索した複数の検索結果画像及び選択回数を受信すると共に、文字認識検索手段が、受信した文字画像を認識し複数の類似文字画像をデータ保存手段から検索すると共に、検索した複数の類似文字画像の組合せと同一の組合を提示した際に第２の選択手段で過去に選択された各々の類似文字画像の選択回数を提示する機能を有し、データ保存手段が各種文字画像を保存すると共に、第２の送信手段で送信された結果と第１の選択手段で選択された文字画像とを関連付け新たな文字画像データとして保存し、更に第２の選択手段で選択された類似文字画像の組合せと選択結果とを保存する機能を具備して構成される。
【発明の効果】
【００１２】
上記のように構成される本発明が、如何に作用して課題を解決するかを図面を参照しながら概説する。
【００１３】
図１は本発明の概略説明図である。第１の装置１００はパーソナルコンピューター（以下、パソコンと称する）やスマートフォンなどのユーザー端末であり、インターネット等のネットワークを介してサーバコンピュータである第２の装置２００とデータ情報を伝送、交換可能に接続されている。
【００１４】
１０１はパソコンディスプレイ画面を示すものであり、ユーザーがハードディスク等に保存された木簡に書かれた出土文字資料等の画像データを選択することで、当該文字画像１０２がディスプレイ上に表示された状態を示している。この文字画像１０２のデータをインターネットを介してサーバコンピュータである第２の装置２００の第２の受信手段２０１に送信する。
【００１５】
当該文字画像１０２のデータは、サーバデータ処理部内に記録されているＯＣＲ（光学文字認識）等のアプリケーションである文字認識検索手段２０２により解読されると共に、データ保存手段２０３内の文字画像記憶部２０４に保存された、既に解読された出土文字画像の中から類似画像が検索される。この検索により抽出された複数の類似文字画像１０４ａ，１０４ｂ，１０４ｃのデータが、第３の送信手段２０６により、第１の装置１００に送信され、ディスプレイ上に候補一覧として表示された状態を示すのが１０３である。
【００１６】
ユーザーはこの類似文字画像１０４ａ，１０４ｂ，１０４ｃの中から、文字画像１０２が該当すると判断した文字画像を選択する。例えば１０４ａに示される既に解読されている「木」という候補を選択し、ユーザーが文字画像１０２で示される出土文字は「木」と解読した結果は、インターネットを介して第２の装置２００の第３の受信手段２０７に送信される。そして、文字画像１０２は「木」という文字であるという解読結果がデータ保存手段２０３の文字画像記憶部２０４に蓄積され、これにより本発明にかかる解読システム及び装置の解読精度がより高まることになるのである。
【００１７】
請求項２、請求項４に記載された解読システム及び解読装置では、第１の装置１００から送信された画像を文字認識検索手段２０２で認識検索し、複数の類似文字画像、図１でいえばを画像１０４ａ，１０４ｂ，１０４ｃを第３の送信手段２０６を介して第１の装置１００に送信すると共に、過去に１０４ａ，１０４ｂ，１０４ｃと同じ組合せの画像データを第１の装置に送信した際に、ユーザーが各画像を選択した回数を送信する。この送信回数を示したのが１０５であり、図１では候補１が過去に１０回、候補２が過去に２回、候補３が過去に１回選択されたことを示している。ユーザーはこの選択結果を参照することでより正確に解読が可能となる。
【００１８】
また、例えば文字画像１０２は候補１に表示された文字であると解読すると、当該選択結果は第２の装置２００に送信され、選択結果記億部２０５に蓄積される。かように本システム及び装置をユーザーが利用すれば選択結果が蓄積され、より正確な解読が可能となっていくのである。
【図面の簡単な説明】
【００１９】
【図１】本発明の概略説明図
【図２】本発明の実施例の処理フローチャート
【図３】第１の装置のブロック図
【図４】第２の装置のブロック図
【発明を実施するための形態】
【００２０】
以下、好ましい発明の一実施形態につき、図面を参照しながら概説する。なお、本発明の実施の形態は、下記の実施形態に何ら限定されることはなく、本発明の技術的範囲に属
する限り種々の形態を採りうる。 
【００２１】
本発明は第１の装置及び第２の装置より成るものである。
【００２２】
第１の装置１００はインターネット等のネットワークに接続可能なパソコンやスマートファン、各種タブレット等のユーザー端末であり、例えば、ハードウエアとして、ＣＰＵ等のマイクロプロセッサ、ランダムアクセスメモリ（ＲＡＭ）およびリードオンリメモリ（ＲＯＭ）等のメモリ（一次記憶装置）、二次記憶装置（ハードディスクドライブ、ソリッドステートドライブ、フラッシュメモリなど）、各種Ｉ／Ｏ（入出力）インタフェース、ローカルエリアネットワークなどのネットワークとの接続のための制御を行うネットワークインタフェース等が、例えばバスを介して接続された回路構成を有するものであり、選択された画像データをインターネット等の通信回線を介して第２の装置２００に送信したり、あるいは第２の装置２００から通信回線を介して送信されてきた画像を表示するものである。すなわち、図３に示すように第１の装置１００はユーザー側制御部１０５、ユーザー側一時保存部１０６、入力表示部１０７、ユーザー側通信部１０８、入力部１０９その他の部を含む。
【００２３】
第２の装置２００はインターネット等のネットワークに接続可能なサーバコンピュータであり、例えば、ハードウエアとして、ＣＰＵ等のマイクロプロセッサ、ランダムアクセスメモリ（ＲＡＭ）およびリードオンリメモリ（ＲＯＭ）等のメモリ（一次記憶装置）、二次記憶装置（ハードディスクドライブ、ソリッドステートドライブ、フラッシュメモリなど）、各種Ｉ／Ｏ（入出力）インタフェース、ローカルエリアネットワークなどのネットワークとの接続のための制御を行うネットワークインタフェース等が、例えばバスを介して接続された回路構成を有するものであり、第１の装置１００から通信回線を介して送信きた画像を受信し、あるいは検索結果画像を第１の装置に送信するものである。すなわち、図４に示すように第２の装置２００はサーバ側制御部２０８、サーバ側一時保存部２０９、サーバ側通信部２１０、データ処理部２１１及びその他の部を含む。
【００２４】
図２は本発明の実施例の処理フローチャートを示すものである。以下、ステップごとに詳述する。
【００２５】
第１の装置１００のユーザー側一時保存部１０６である一時記憶装置或いは二次記憶装置に保存された解読対象の出土文字画像のデータを、ユーザー側制御部１０５が読み取り、入力表示部１０７に表示する（ステップ３０１「第１の選択手段で選択」）。
【００２６】
ネットワークインタフェースであるユーザー側通信部１０８で、インターネット等のネットワークを介して第２の装置２００に送信する（ステップ３０２「第１の送信手段で送信」）。
【００２７】
第２の装置２００は、ステップ３０２で送信されてきた画像データを、ネットワークインタフェースであるサーバ側通信部２１０で受信する（ステップ３０３「第２の受信手段で受信」）。
【００２８】
当該受信した画像データはサーバデータ処理部２１１内に記録されているＯＣＲ（光学文字認識）等のアプリケーションである文字認識検索手段２０２により解読されると共に、サーバ側一時記憶部２０９（一時記憶装置或いは二次記憶装置）であるデータ保存手段２０３内の文字画像記憶部２０４に保存された、既に解読された出土文字画像の中から類似画像が検索される（ステップ３０４）。
【００２９】
検索された結果類似すると判断された複数の画像データは結果一覧として、ネットワークインタフェースであるサーバ側通信部２１０によりインターネット等のネットワークを介して第１の装置１００に送信される（ステップ３０５「第３の送信手段で送信」）。
【００３０】
なお、請求項２及び請求項４に記載の発明においては、結果一覧として、検索した複数の類似文字画像の組合せと共に、同一の組合を提示した際に後述の第２の選択手段で過去に選択された各々の類似文字画像の選択回数を選択結果記憶部２０５から検索し、結果一覧が形成され、第１の装置１００に送信される（ステップ３０５「第３の送信手段で送信」）。
【００３１】
上記送信された検索結果は、ネットワークインタフェースであるユーザー側通信部１０８で受信し（ステップ３０６「第１の受信手段で受信」）、ディスプレイ等の表示装置に表示される。
【００３２】
上記受信した複数の検索結果画像の中から該当画像をユーザーが、キーボード等の入力部１０９で選択する（ステップ３０７「第２の選択手段で選択」）。
【００３３】
上記ユーザーが選択結果を、ネットワークインタフェースであるユーザー側通信部１０８で、インターネット等のネットワークを介して第２の装置２００に送信する（ステップ３０８「第２の送信手段で送信」）。
【００３４】
第２の装置２００は、ステップ３０８で送信されてきた選択結果を、ネットワークインタフェースであるサーバ側通信部２１０で受信する（ステップ３０９「第２の受信手段で受信」）。
【００３５】
受信した選択結果、つまり解読対象文字の解読結果とステップ３０３で受信した画像データとを関連付けて文字画像記憶部に蓄積する（ステップ３１０）。
【００３６】
なお、請求項２及び請求項４に記載の発明においては、第２の選択手段で選択された類似文字画像の組合せとステップの３０７における選択結果を付加した選択結果回数が選択結果記憶部に蓄積される（ステップ３１１）。  
【符号の説明】
【００３７】
１００・・第１の装置
２００・・第２の装置
２０１・・第２の受信手段
２０２・・文字認識検索手段
２０３・・データ保存手段
２０４・・文字画像記憶部
２０５・・選択結果記憶部
２０６・・第３の送信手段
２０７・・第３の受信手段
【図１】
0006472369.tif 000002
【図２】
0006472369.tif 000003
【図３】
0006472369.tif 000004
【図４】
0006472369.tif 000005